(57)【特許請求の範囲】
【請求項１】
展示対象物が載置される載置面を有する載置板の対向する一対の辺を折り線として、この折り線を介して折り曲げ自在にそれぞれ連接された背面板及び前面板と、
他の対向する一対の辺を折り線として、この折り線を介して折り曲げ自在にそれぞれ連接された側面板と、
前記前面板、前記背面板、又は前記側面板のいずれかに、折り線を介して折り曲げ自在に連接された底板と、
前記前面板、前記背面板、前記側面板及び前記底板が所定の位置に折り曲げられた状態で、脱着自在に連結する連結手段と、を備え、
前記載置面が外部へ露出される方向へ、前記前面板、前記背面板、及び前記底板を折り曲げ、前記連結手段によって連結する展示状態と、
前記載置面が内部へ収納される方向へ、前記前面板、前記背面板、及び前記底板を折り曲げ、前記連結手段によって連結する収納状態と、
を転換自在とした包装箱であって、
前記包装箱は、収納状態において、前記載置面上に配置され、前記載置板と底板の間に収納され、前記展示対象物の情報が表示されるパネルを備え、
前記パネルは、
展示状態において前記載置面後方に起立して配置される背板と、この背板の左右両端部が背面側に折り曲げられて断面が多角形状に形成され、前記背板を起立させるための支持部と、を具備し、
前記パネルは、背板の下端部に折り曲げ自在に連接された固定片を備え、
当該固定片は、
展示状態において、前記底板の下に挿入されることを特徴とする包装箱。
【請求項２】
展示対象物が載置される載置面と少なくとも４辺を有する載置板の１つの辺を第１の折り線とし、この第１の折り線を介して折り曲げ自在に連接される背面板と、
前記第１の折り線と対向する辺を第２の折り線とし、この第２の折り線を介して折り曲げ自在に連接される前面板と、
残りの一対の互いに対向する辺をそれぞれ第３の折り線及び第４の折り線とし、この第３の折り線及び第４の折り線を介して折り曲げ自在にそれぞれ連接される第１の側面板及び第２の側面板と、
前記前面板の第２の折り線と対向する辺を第５の折り線とし、この第５の折り線を介して折り曲げ自在に連接される底板と、
前記底板の残りの辺のうち互いに対向する一対の辺をそれぞれ第６の折り線及び第７の折り線とし、この第６の折り線及び第７の折り線を介して折り曲げ自在にそれぞれ連接される第３の側面板及び第４の側面板と、
前記前面板、前記背面板、及び前記底板が所定の位置に折り曲げられた状態で、前記背面板と前記底板、前記第１の側面板と前記第３の側面板、及び前記第２の側面板と前記第４の側面板を、それぞれ脱着自在に連結する連結手段と、を備え、
前記載置面が外部へ露出される方向へ、前記第１の折り線、前記第２の折り線、及び前記第５の折り線を介して、前記前面板、前記背面板、及び前記底板を折り曲げ、前記連結手段によって連結する展示状態と、
前記載置面が内部へ収納される方向へ、前記第１の折り線、前記第２の折り線、及び前記第５の折り線を介して、前記前面板、前記背面板、及び前記底板を折り曲げ、前記連結手段によって連結する収納状態と、
を転換自在とした包装箱であって、
前記包装箱は、収納状態において、前記載置面上に配置され、前記載置板と底板の間に収納され、前記展示対象物の情報が表示されるパネルを備え、
前記パネルは、
展示状態において前記載置面後方に起立して配置される背板と、この背板の左右両端部が背面側に折り曲げられて断面が多角形状に形成され、前記背板を起立させるための支持部と、を具備し、
前記パネルは、背板の下端部に折り曲げ自在に連接された固定片を備え、
当該固定片は、
展示状態において、前記底板の下に挿入されることを特徴とする包装箱。
【請求項３】
請求項１又は２に記載の包装箱において、
前記展示状態及び前記収納状態では、前記載置板、前記前面板、前記背面板、及び前記底板を、断面略台形状となる位置まで折り曲げて、前記連結手段によって連結されることを特徴とする包装箱。
【請求項４】
請求項１乃至３のいずれか１項に記載の包装箱であって、
前記前記第１乃至４の側面板の少なくとも一の側面板の長手方向の両端部には、折り線を介して折り曲げ可能な折り込み片が連接されることを特徴とする包装箱。
【発明の詳細な説明】
【技術分野】
【０００１】
本発明は、商品を収納する包装箱の技術分野に属し、より詳細には、商品の収納と、商品の展示に兼用される包装箱等の技術分野に関する。
【背景技術】
【０００２】
従来から、商品を収納する機能と、商品を展示する機能を兼ね備えた包装箱が提案されている。
【０００３】
特許文献１では、商品が収納される包装箱に収納可能に折畳まれる筒状スタンドに、当該包装箱の天面を閉鎖する上部フラップを外側に折り返し、当該筒状スタンドに載置して商品展示を行う包装箱についての技術が開示されている。
【０００４】
また、特許文献２では、蓋板を折り曲げて表示板とし、一方のフラップに形成された開口に物品を挿入して展示可能とする包装箱についての技術が開示されている。
【先行技術文献】
【特許文献】
【０００５】
【特許文献１】特開平９−３７９０２号公報
【特許文献２】特開平９−１１００３２号公報
【発明の概要】
【発明が解決しようとする課題】
【０００６】
このようにして展示される商品は、所定の展示期間が経過した後又は異なる場所に配送する必要性が生じた場合には、商品の信頼性維持の観点（例えば、耐防塵性及び耐衝撃性等の観点）等から、包装箱に収納されて保管又は配送されることが望ましい。この場合、包装箱を変形（折り曲げ、切断、組み立てを含む）して組み立てられることにより商品を展示する機能を備えた包装箱の状態から、商品を収納することができるもとの包装箱の状態へと戻す必要がある。
【０００７】
しかしながら、上記特許文献で開示される包装箱は、段ボールなどのブランクに形成された複数の差し込み片を、挿入口に挿入等することによって、商品が収納された包装箱から商品を展示する機能を備える包装箱へと組み立てられるようになっており、このような組み立てを繰り返し行った場合には、差し込み片や挿入口等がこすれ等の摩耗により劣化及び破損し、再度包装箱へ組み立てることが困難となる問題があった。
【０００８】
即ち、上記包装箱は、包装箱に商品が収納される収納状態から、包装箱によって商品を展示することができる展示状態へ、繰り返し組み立てて使用することが困難であるという問題があった。
【０００９】
そこで、本発明は、上記問題点に鑑みてなされたものであり、その目的の一例は、繰り返しの使用に耐えることができる商品の収納と商品の展示に兼用される包装箱等を提供することである。
【課題を解決するための手段】
【００１０】
上記課題を解決するために、請求項１に記載の発明は、商品（１００）が載置される載置面（１ａ）を有する載置板（１）の対向する一対の辺を第１の折り線（２）と第２の折り線（６）として、この第１の折り線（２）と第２の折り線（６）を介して折り曲げ自在にそれぞれ連接された背面板（３）及び前面板（７）と、他の対向する一対の辺を第３の折り線（８）と第４の折り線（１０）として、この第３の折り線（８）と第４の折り線（１０を介して折り曲げ自在にそれぞれ連接された第１の側面板（９）及び第２の側面板（１１）と、前面板（７）、背面板（３）、第１の側面板（９）、又は第２の側面板（１１）のいずれかに、第５の折り線（１２）を介して折り曲げ自在に連接された底板（１３）と、前面板（７）、背面板（３）、第１の側面板（９）、第２の側面板（１１）及び底板（１３）が所定の位置に折り曲げられた状態で、脱着自在に連結する面ファスナー（４１ａ）〜（４６ａ）、（４１ｂ）〜（４６ｂ）と、を備え、載置面（１ａ）が外部へ露出される方向へ、前面板（７）、背面板（３）、及び底板（１３）を折り曲げ、面ファスナー（４１ａ）〜（４６ａ）、（４１ｂ）〜（４６ｂ）によって連結する展示状態と、載置面（１ａ）が内部へ収納される方向へ、前面板（７）、背面板（３）、及び底板（１３）を折り曲げ、面ファスナー（４１ａ）〜（４６ａ）、（４１ｂ）〜（４６ｂ）によって連結する収納状態と、を転換自在とした包装箱であって、前記包装箱は、収納状態において、前記載置面上に配置され、前記載置板と底板の間に収納され、前記展示対象物の情報が表示されるパネル（７０）を備え、前記パネルは、展示状態において前記載置面後方に起立して配置される背板（７１）と、この背板の左右両端部が背面側に折り曲げられて断面が多角形状に形成され、前記背板を起立させるための支持部（７４）と、を具備し、前記パネルは、背板の下端部に折り曲げ自在に連接された固定片（７６）を備え、当該固定片は、展示状態において、前記底板の下に挿入されることを特徴とする。
【００１１】
したがって、一の包装箱において、商品が収納される収納状態と、商品が展示される展示状態を繰り返して使用することができる。
【００１２】
また、請求項２に記載の発明は、商品（１００）が載置される載置面（１ａ）と少なくとも４辺を有する載置板（１）の１つの辺を第１の折り線（２）とし、この第１の折り線（２）を介して折り曲げ自在に連接される背面板（３）と、第１の折り線（２）と対向する辺を第２の折り線（６）とし、この第２の折り線（６）を介して折り曲げ自在に連接される前面板（７）と、残りの一対の互いに対向する辺をそれぞれ第３の折り線（８）及び第４の折り線（１０）とし、この第３の折り線（８）及び第４の折り線（１０）を介して折り曲げ自在にそれぞれ連接される第１の側面板（９）及び第２の側面板（１１）と、前面板（７）の第２の折り線（６）と対向する辺を第５の折り線（１２）とし、この第５の折り線（１２）を介して折り曲げ自在に連接される底板（１３）と、底板（１３）の残りの辺のうち互いに対向する一対の辺をそれぞれ第６の折り線（１４）及び第７の折り線（１６）とし、この第６の折り線（１４）及び第７の折り線（１６）を介して折り曲げ自在にそれぞれ連接される第３の側面板（１５）及び第４の側面板（１７）と、前面板（７）、背面板（３）、及び底板（１３）が所定の位置に折り曲げられた状態で、背面板（３）と底板（１３）、第１の側面板（９）と第３の側面板（１５）、及び第２の側面板（１１）と第４の側面板（１７）を、それぞれ脱着自在に連結する面ファスナー（４１ａ）〜（４６ａ）、（４１ｂ）〜（４６ｂ）と、を備え、載置面（１ａ）が外部へ露出される方向へ、第１の折り線（２）、第２の折り線（６）、及び第５の折り線（１２）を介して、前面板（７）、背面板（３）、及び底板（１３）を折り曲げ、面ファスナー（４１ａ）〜（４６ａ）、（４１ｂ）〜（４６ｂ）によって連結する展示状態と、載置面（１ａ）が内部へ収納される方向へ、第１の折り線（２）、第２の折り線（６）、及び第５の折り線（１２）を介して、前面板（７）、背面板（３）、及び底板（１３）を折り曲げ、面ファスナー（４１ａ）〜（４６ａ）、（４１ｂ）〜（４６ｂ）によって連結する収納状態と、を転換自在とした包装箱であって、前記包装箱は、収納状態において、前記載置面上に配置され、前記載置板と底板の間に収納され、前記展示対象物の情報が表示されるパネル（７０）を備え、前記パネルは、展示状態において前記載置面後方に起立して配置される背板（７１）と、この背板の左右両端部が背面側に折り曲げられて断面が多角形状に形成され、前記背板を起立させるための支持部（７４）と、を具備し、前記パネルは、背板の下端部に折り曲げ自在に連接された固定片（７６）を備え、当該固定片は、展示状態において、前記底板の下に挿入されることを特徴とする。
【００１３】
したがって、一の包装箱において、商品が収納される収納状態と、商品が展示される展示状態を繰り返して使用することができる。
【００１４】
請求項３に記載の発明は、請求項１又は２に記載の包装箱において、前記展示状態及び前記収納状態では、載置板（１）、前面板（７）、背面板（３）、及び底板（１３）を、断面略台形状となる位置まで折り曲げて、面ファスナー（４１ａ）〜（４６ａ）、（４１ｂ）〜（４６ｂ）によって連結されることを特徴とする。
【００１５】
請求項４に記載の発明は、請求項１乃至３のいずれか１項に記載の包装箱であって、前記前記第１乃至４の側面板の少なくとも一の側面板の長手方向の両端部には、折り線を介して折り曲げ可能な折り込み片が連接されることを特徴とする。
【００１６】
したがって、一の包装箱において、商品が収納される収納状態と、商品が展示される展示状態を容易に転換することができる。
【発明の効果】
【００１７】
以上のように、本発明における包装箱によれば、複数の折り線を介して連接された板状の部材を折り曲げて展示状態と収納状態を転換自在としたため、繰り返しの使用に耐えることができる商品の収納と商品の展示に兼用される包装箱を提供することができる。
【図面の簡単な説明】
【００１８】
【図１】本実施形態における包装箱Ｓ１の展示状態を示す斜視図である。
【図２】本実施形態における包装箱Ｓ１の収納状態を示す斜視図である。
【図３】包装箱Ｓ１のブランクを示す図である。
【図４】広告パネル７０のブランクを示す図である。
【図５】包装箱Ｓ１のブランクから展示状態への転換を段階的に示す模式図である。
【図６】包装箱Ｓ１のブランクから展示状態への転換を段階的に示す模式図である。
【図７】包装箱Ｓ１のブランクから展示状態への転換を段階的に示す模式図である。
【図８】包装箱Ｓ１の展示状態から収納状態への転換を段階的に示す模式図である。
【図９】包装箱Ｓ１の展示状態から収納状態への転換を段階的に示す模式図である。
【図１０】包装箱Ｓ１の展示状態から収納状態への転換を段階的に示す模式図である。
【図１１】包装箱Ｓ１の展示状態から収納状態への転換を段階的に示す模式図である。
【図１２】包装箱Ｓ１の展示状態から収納状態への転換を段階的に示す模式図である。
【図１３】包装箱Ｓ２の連結手段として勘合部を適用した場合のブランクを示す図である。
【図１４】載置板１と底板１３が同形状の場合の包装箱Ｓ３のブランクを示す図である。
【図１５】包装箱Ｓ３の外観を示す斜視図である。
【発明を実施するための形態】
【００１９】
以下に、本願の最良の実施形態を添付図面に基づいて説明する。
【００２０】
［１.包装箱Ｓ１の概要］
まず、本実施形態における包装箱Ｓ１の概要について、図１及び図２を用いて説明する。図１は本実施形態における包装箱Ｓ１の展示状態を示す斜視図であり、図２は本実施形態における包装箱Ｓ１の収納状態を示す斜視図である。
【００２１】
この包装箱Ｓ１は、図１に示すように、載置面１ａに商品１００（本願の展示対象物の一例）が載置される展示状態と、図２に示すように、商品１００と広告パネル７０を収納する収納状態とに転換自在なものである。
【００２２】
展示状態では、商品１００を需要者（看者）から注視され易いように展示するために、載置面１ａの上部にアクリル板１ｂ（アクリル樹脂製の透明の板であり、透過性を有する）が固定され、このアクリル板１ｂに、商品１００が載置される。そして、包装箱Ｓ１の後部には、商品１００の広告等の情報が表示される広告パネル７０が固定される。
【００２３】
収納状態では、商品１００及び広告パネル７０を保存又は輸送するために、商品１００及び広告パネル７０が内部に収納される。
【００２４】
［２.包装箱Ｓ１及び広告パネル７０のブランク］
次に、包装箱Ｓ１及び広告パネル７０のブランクについて、図３及び図４を用いて説明する。
【００２５】
包装箱Ｓ１のブランクは図３に示す構成とされ、広告パネル７０のブランクは図４に示す構成とされる。
【００２６】
ここで説明の便宜上、座標軸２００を定義する。座標軸２００において、Ｙ軸方向（紙面の鉛直方向）を総称して垂直方向と、Ｘ軸方向（紙面の水平方向）を水平方向と定義する。さらに、Ｙ軸の矢印が示す方向を上方と、これと対向する方向を下方と定義する。また、Ｘ軸の矢印が示す方向を右と、これと対向する方向を左と定義する。さらに、紙面側を表側と、紙面と対向する側を裏側と定義する。
【００２７】
図３に示すように、包装箱Ｓ１のブランクは、例えば、段ボール（例えば、ＪＩＳＺ１５１６等で規定されるもの）等の板状の部材を素材とし、主として載置板１（本願の載置板の一例）、背面板３（本願の背面板の一例）、前面板７（本願の前面板の一例）、第１の側面板９（本願の第１の側面板の一例）、第２の側面板１１（本願の第２の側面板の一例）、底板１３（本願の底板の一例）、第３の側面板１５（本願の第３の側面板の一例）、及び第４の側面板１７（本願の第４の側面板の一例）が折り線を介して連接されている。以下、板状の部材の一例として、段ボールを適用した場合について説明する。
【００２８】
そして、この包装箱Ｓ１のブランクは、段ボールを包装箱Ｓ１と略同じ形の金型（例えば、いわゆるビク型等）により打ち抜いて形成される。打ち抜かれる際に、図３における実線部分の切断が行われる。以下のブランクを示す図（図３、図４、図１３、及び図１４）において、特に示す場合を除き、実線部分は金型によって打ち抜いて形成されるものとする。
【００２９】
載置板１は、商品１００が載置される載置面１ａ（図３に示す載置板１の表側の面）と、少なくとも４辺（後述する、第１の折り線２、第２の折り線６、第３の折り線８及び第４の折り線１０）を有する。
【００３０】
本実施形態においては、載置板１は略矩形の形状を示し４つの辺を有している。なお、図１及び図２に示す例では、載置面１ａの表側に、アクリル板１ｂを固定する構成を採用しているが、図３のブランクにおいては、説明の便宜上アクリル板１ｂの図示を省略する。
【００３１】
なお、本実施形態における載置板１は略矩形の形状としたが、当該略矩形の形状の１つ乃至すべての頂点を面取りした形状（例えば、略五角形、略六角形、略七角形、又は略八角形等）とすることもできる。
【００３２】
すなわち、載置板１の形状として、載置板１の外形を構成する辺のうち、互いに対向する２組の辺が形成されていればよい。
【００３３】
この４辺のうち１つの辺を第１の折り線２（本願の第１の折り線の一例）として、この第１の折り線２を介して背面板３が折り曲げ自在に連接される。第１の折り線２は、段ボールを折り曲げ自在とするための処理が施されたものであり、例えば、段ボールから打ち抜かれて形成される包装箱Ｓ１に対して、筋付け（筋押し、又は筋入れ）等の各処理を施すことにより形成される（いわゆる罫線も含む）。
【００３４】
以下のブランクを示す図（図３、図４、図１３、及び図１４）において、他に示す折り線（例えば、後述する第２の折り線６等）は、特に示す場合を除き、図面中において点線で示し、上述した特性を有する。
【００３５】
背面板３の上方の辺には、折り線４を介して固定片５が連接される。そして、固定片５の表側には、面ファスナー４１ａ及び面ファスナー４２ａが固定される。
【００３６】
この固定方法は任意に選択でき、テープ、糊、接着材による貼付でもよい。
【００３７】
詳しくは後述するが、本実施形態における各面ファスナーは、本願の連結手段として機能し、所定の位置に折り曲げられた背面板３と底板１３等を連結するために用いられる。そこで、以下のブランクを示す図（図３、図４、図１３、及び図１４）において、相互に連結する面ファスナーを、それぞれ同一の数字を付した部材番号で示すこととする。例えば、図３に示す例では、面ファスナー４１ａと面ファスナー４１ｂは相互に連結することを意味する。
【００３８】
また、ブランクを示す図（図３、図４、図１３、及び図１４）において、表側に固定される面ファスナーは、一点鎖線で記した外形にハッチングを施して示すものとし、裏側に固定される面ファスナーは、一点鎖線で記した外形で示すものとする。
【００３９】
図３の説明に戻り、第１の折り線２と対向する辺を第２の折り線６（本願の第２の折り線の一例）とし、第２の折り線６を介して、前面板７が折り曲げ自在に連接される。なお、第１の折り線２と第２の折り線６は、本願の対向する一対の辺の一例としても機能する。
【００４０】
載置板１の４つの辺のうち、残りの一対の互いに対向する辺をそれぞれ第３の折り線８（本願の第３の折り線の一例）及び第４の折り線１０（本願の第４の折り線の一例）として、この第３の折り線８を介して、第１の側面板９が折り曲げ自在に連接される。
【００４１】
また、第４の折り線１０を介して、第２の側面板１１が折り曲げ自在に連接される。なお、第３の折り線８と第４の折り線１０は、本願の他の対向する一対の辺の一例としても機能する。
【００４２】
第１の側面板９の上方及び下方の端部（長手方向の両端部）には折り線を介して折り込み片９ａ（本願の折り込み片の一例）及び折り込み片９ｂ（本願の折り込み片の一例）がそれぞれ連接されている。また、第１の側面板９の裏側には、面ファスナー４５ｂ及び面ファスナー４６ｂが固定される。
【００４３】
第２の側面板１１の上方及び下方の端部には折り線を介して折り込み片１１ａ（本願の折り込み片の一例）及び折り込み片１１ｂ（本願の折り込み片の一例）がそれぞれ連接されている。また、第２の側面板１１の裏側には、面ファスナー４３ａ及び面ファスナー４４ａが固定される。
【００４４】
底板１３が有する４辺のうち、第２の折り線６と対向する辺を第５の折り線１２（本願の第５の折り線の一例）とし、この第５の折り線１２を介して、底板１３が折り曲げ自在に連接される。本実施形態においては、底板１３は略矩形の形状を示し４つの辺を有している。そして、底板１３は、形状に関して、載置板１と互いに相似で、載置板１より面積が大きくなっている（即ち、底板１３の方が載置板１よりも大きい）。さらに、底板１３の裏側には、面ファスナー４１ｂ及び面ファスナー４２ｂが固定される。
【００４５】
また、底板１３の４つの辺のうち残りの辺であって、一対の互いに対向する辺をそれぞれ第６の折り線１４（本願の第６の折り線の一例）及び第７の折り線１６（本願の第７の折り線の一例）として、この第６の折り線１４を介して、第３の側面板１５が折り曲げ自在に連接される。また、第７の折り線１６を介して、第４の側面板１７が折り曲げ自在に連接される。
【００４６】
第３の側面板１５の表側には、面ファスナー４５ａ及び面ファスナー４６ａが固定される。
【００４７】
第４の側面板１７の表側には、面ファスナー４３ｂ及び面ファスナー４４ｂが固定される。
【００４８】
なお、上述した例では底板１３は、第５の折り線６を介して、前面板７と連接されているが、折り線を介して、背面板３、第１の側面板９、又は第２の側面板１１と連接するようにしてもよい。
【００４９】
また、図４に示すように、広告パネル７０のブランクは、紙、上質紙、段ボールやＰＥＴ材等の薄型樹脂製板材等の折り曲げ自在の板状の部材を素材とし、背板７１に支持部７２、支持部７４、固定片７６が折り線７７を介して連接されている。
【００５０】
そして、この広告パネル７０のブランクは、上述した板状の部材を、このブランクと略同じ形の金型により打ち抜いて形成される。打ち抜かれる際に、図４における実線部分の切断が行われる。
【００５１】
背板７１の左辺には、折り線７３ａ〜７３ｃを介して、折り曲げ片７２ａ〜７２ｃが順次連接されている。そして、背板７１の右辺には、折り線７５ａ〜７５ｃを介して、折り曲げ片７４ａ〜７４ｃが順次連接されている。
【００５２】
このようなブランクから広告パネル７０を組み立てる方法の一例としては、まず、支持部７２を形成すべく、折り曲げ片７２ａ〜７２ｃを、折り線７３ａ〜７３ｃの部位で横断面略三角状に折り曲げて、折り曲げ片７２の表側を背板７１の裏側へ固定（例えば、貼着等）する。次に、支持部７４を形成すべく、折り曲げ片７４ａ〜７４ｃを、折り線７５ａ〜７５ｃの部位で横断面略三角状に折り曲げて、折り曲げ片７４の表側を背板７１の裏側へ固定する。そして、折り線７７で折り曲げられた固定片７６を、包装箱Ｓ１の底板１３の下部へ挿入又は固定する。
【００５３】
［３.包装箱Ｓ１の使用状態］
１）展示状態への転換
図３に示す包装箱Ｓ１のブランクから図１に示す展示状態への転換について、さらに図５〜図７を用いて説明する。
【００５４】
図５〜図７は、包装箱Ｓ１のブランクから展示状態への転換を段階的に示す模式図である。
【００５５】
包装箱Ｓ１のブランクから展示状態へ転換するためには、載置面１ａが外部へ露出される方向へ（載置面１ａが外部から視認できるように）、第１の折り線２、第２の折り線６、及び第５の折り線１２を介して、背面板３、前面板７、及び底板１３を折り曲げる。そして、前面板７、背面板３、及び底板１３を、載置板１及び底板１３が上底及び下底の関係となる断面略台形状となる位置（本願の所定の位置の一例）まで折り曲げる。
【００５６】
そして、固定片５に固定された面ファスナー４１ａ及び面ファスナー４２ａと、底板１３に固定された面ファスナー４１ｂ及び面ファスナー４２ｂによって、背面板３と底板１３とを連結する。
【００５７】
そして、第１の側面板９に固定された面ファスナー４５ｂ及び面ファスナー４６ｂと、第３の側面板１５に固定された面ファスナー４５ａ及び面ファスナー４６ａによって、第１の側面板９と第３の側面板１５とを連結する。
【００５８】
そして、第２の側面板１１に固定された面ファスナー４３ａ及び面ファスナー４４ａと、第４の側面板１７に固定された面ファスナー４３ｂ及び面ファスナー４４ｂとによって、第２の側面板１１と第４の側面板１７とを連結する。
【００５９】
この包装箱Ｓ１のブランクから展示状態への転換について、さらに詳細に説明すると、まず、図５に示すように、前面板７を第２の折り線６を介して、底板１３を第５の折り線１２を介して、載置面１ａが外部へ露出される方向（図５の矢印Ａの方向）へそれぞれ折り曲げる。
【００６０】
図６には、前面板７が第２の折り線６を介して、底板１３が第５の折り線１２を介して、載置面１ａが外部へ露出される方向へ折り曲げられた様子が示されている。
【００６１】
そして、図６に示すように、背面板３を第１の折り線２を介して、固定片５を折り線４を介して、載置面１ａが外部へ露出される方向（図６の矢印Ｂの方向）へ、それぞれ折り曲げる。
【００６２】
そして、固定片５に固定された面ファスナー４１ａ及び面ファスナー４２ａと、底板１３に固定された面ファスナー４１ｂ及び面ファスナー４２ｂを相互に連結させる。この連結によって、背面板３と底板１３とが着脱自在に連結される。
【００６３】
図７には、背面板３と底板１３が着脱自在に連結された様子が示されている。このとき、包装箱Ｓでは、載置板１、前面板７、背面板３及び底板１３で囲まれた空間部分が形成される。
【００６４】
そして、図７に示すように、第３の側面板１５（又は、第４の側面板１７のいずれが先、又は同時でも構わない）を、第６の折り線１４を介して、底板１３に近接する方向（前記空間部分の方向）へ折り曲げる。
【００６５】
次に、第１の側面板９（第４の側面板１７を先に折り曲げた場合には第２の側面板１１）の折り込み片９ａ及び折り込み片９ｂを、互いに近接する方向（図７の矢印Ｃの方向）へ折り曲げ、前記空間部分へ挿入する。
【００６６】
そして、第１の側面板９を、第３の折り線８を介して、第３の側面板１５へ近接させる方向（図７の矢印Ｄの方向）へ折り曲げる。
【００６７】
このとき、折り込み片９ａは前面板７の内側（前記空間部分に面する側）を当接しながら、さらに前記空間部分に挿入される。また、折り込み片９ｂは背面板３の内側を当接しながら、さらに前記空間部分に挿入される。この当接によって、第１の側面板９は、第３の側面板１５と連結されるまで、一定の軌跡をたどるように導かれるようになっている。換言すれば、折り込み片９ａ及び折り込み片９ｂは、第１の側面板９と第３の側面板１５を所定の位置で連結させるための部材であり、いわゆる誘い込み（位置決め）の役割を果たす。
【００６８】
そして、面ファスナー４５ａと面ファスナー４５ｂ、及び面ファスナー４６ａと面ファスナー４６ｂを相互に連結させる。この連結によって、第１の側面板９は、第３の側面板１５と着脱自在に連結される。
【００６９】
次に、第４の側面板１７を、第７の折り線１６を介して、底板１３に近接する方向へ折り曲げる。
【００７０】
そして、第２の側面板１１の折り込み片１１ａ及び折り込み片１１ｂを、互いに近接する方向（図７の矢印Ｃの方向）へ折り曲げ、前記空間部分へ挿入する。
【００７１】
そして、第２の側面板１１を、第４の折り線１０を介して、第４の側面板１７へ近接させる方向（図７の矢印Ｄの方向）へ折り曲げる。
【００７２】
そして、面ファスナー４３ａと面ファスナー４３ｂ、及び面ファスナー４４ａと面ファスナー４４ｂを相互に連結させる。この連結によって、第２の側面板１１は、第４の側面板１７と、着脱自在に連結される。
【００７３】
そして、折り線７７で折り曲げられた背面パネル７０の固定片７６を、背面板３へ当接させ（図７の矢印Ｅ方向へ近接させ）、固定片７６を底板１３の下部へ挿入又は固定する。
【００７４】
以上の手順により、包装箱Ｓ１のブランクを展示状態へ転換させることができる。
【００７５】
なお、展示状態への転換の手順は上述した例に限定されず、任意に行うことができる。例えば、上述した例では底板１３を先に折り曲げたが、背面板３を先に折り曲げて展示状態へ転換するようにしてもよい。
【００７６】
２）展示状態から収納状態への転換
次に、図１に示す展示状態から図３に示す収納状態への転換について、さらに図８〜図１２を用いて説明する。
【００７７】
図８〜図１２は、包装箱Ｓ１の展示状態から収納状態への転換を段階的に示す模式図である。
【００７８】
展示状態から収納状態へ転換するためには、載置面１ａが内部へ収納される方向へ、第１の折り線２、第２の折り線６、及び第５の折り線１２を介して、背面板３、前面板７、及び底板１３を折り曲げる。そして、前面板７、背面板３、及び底板１３を、載置板１及び底板１３が上底及び下底の関係となる断面略台形状となる位置（本願の所定の位置の一例）まで折り曲げる。
【００７９】
そして、固定片５に固定された面ファスナー４１ａ及び面ファスナー４２ａと、底板１３に固定された面ファスナー４１ｂ及び面ファスナー４２ｂによって、背面板３と底板１３とを連結する。
【００８０】
そして、第１の側面板９に固定された面ファスナー４５ｂ及び面ファスナー４６ｂと、第３の側面板１５に固定された面ファスナー４５ａ及び面ファスナー４６ａによって、第１の側面板９と第３の側面板１５とを連結する。
【００８１】
そして、第２の側面板１１に固定された面ファスナー４３ａ及び面ファスナー４４ａと、第４の側面板１７に固定された面ファスナー４３ｂ及び面ファスナー４４ｂとによって、第２の側面板１１と第４の側面板１７とを連結する。
【００８２】
この展示状態から収納状態への転換について、さらに詳細に説明すると、まず、図８に示すように、第１の側面板９（又は第２の側面板１１のいずれが先、又は同時でも構わない）を、第３の折り線８を介して、載置面１ａが内部へ収納される方向（図８の矢印Ｆの方向）へ折り曲げて、面ファスナー４５ａと面ファスナー４５ｂ、及び面ファスナー４６ａと面ファスナー４６ｂを剥離する（連結状態を解除する）。この剥離によって、第１の側面板９は、第３の側面板１５から分離（解放）される。
【００８３】
そして、第２の側面板１１を、第４の折り線１０を介して、載置面１ａが内部へ収納される方向（図８の矢印Ｆの方向）へ折り曲げて、面ファスナー４３ａと面ファスナー４３ｂ、及び面ファスナー４４ａと面ファスナー４４ｂを剥離する。
【００８４】
次に、広告パネル７０を取り外す（矢印Ｇの方向へ移動する）。
【００８５】
そして、固定片５を、折り線４を介して、載置面１ａが内部へ収納される方向（図８の矢印Ｈの方向）へ折り曲げて、面ファスナー４１ａと面ファスナー４１ｂ、及び面ファスナー４２ａと面ファスナー４２ｂを剥離させる。この剥離によって、背面板３と底板１３は互いに分離されることとなる。
【００８６】
図９には、第１の側面板９が第３の側面板１５から、第２の側面板１１が第４の側面板１７から、それぞれ分離され、さらに、背面板３が底板１３から分離された様子が示されている。
【００８７】
そして、図９に示すように、背面板３を、第１の折り線２を介して、載置面１ａが内部へ収納される方向（図９の矢印Ｉの方向）へ折り曲げる。そして、底板１３を、第５の折り線１２を介して、載置面１ａが内部へ収納される方向（図９の矢印Ｉの方向）へ折り曲げる。この底板１３の折り曲げに伴って、前面板７も、第２の折り線６を介して、載置面１ａが内部へ収納される方向へ折り曲げられる。
【００８８】
そして、図１０に示すように、載置面１ａに広告パネル７０及び商品１００を載置する。
【００８９】
そして、第１の側面板９を第３の折り線８を介して、第２の側面板１１を第４の折り線１０を介して、載置面１ａが内部へ収納される方向（図１０の矢印Ｊの方向）へそれぞれ折り曲げる。なお、第１の側面板９及び第２の側面板１１を折り曲げる順番は、いずれが先、又は同時でも構わない。
【００９０】
図１１には、第１の側面板９及び第２の側面板１１が、折り曲げられた様子が示されている。
【００９１】
そして、図１１に示すように、前面板７を第２の折り線６を介して、底板１３を第５の折り線１２を介して、載置面１ａが内部へ収納される方向（図１１の矢印Ｋの方向）へ、それぞれ折り曲げる。なお、底板１３の折り曲げに伴って、前面板７も、第２の折り線６を介して折り曲げられるため、底板１３のみを上記方向に折り曲げるようにしてもよいことは言うまでもない。
【００９２】
図１２には、前面板７、底板１３、第１の側面板９、及び第２の側面板１１が折り曲げられた様子が示されている。
【００９３】
そして、図１２に示すように、まず、背面板３を、第１の折り線２を介して、載置面１ａが内部へ収納される方向（図１２の矢印Ｌの方向）へ折り曲げる。
【００９４】
そして、固定片５を、折り線４を介して折り曲げ、固定片５に固定された面ファスナー４１ａ及び面ファスナー４２ａと、底板１３に固定された面ファスナー４１ｂと面ファスナー４２ｂを、それぞれ連結する。
【００９５】
そして、第３の側面板１５を、第６の折り線１４を介して、第１の側面板９へ近接する方向（図１２の矢印Ｍの方向）へ折り曲げる。そして、第３の側面板１５に固定された面ファスナー４５ａ及び面ファスナー４６ａと、第１の側面板９に固定された面ファスナー４５ｂ及び面ファスナー４６ｂを連結する。
【００９６】
最後に、第４の側面板１７を、第７の折り線１６を介して、第２の側面板１１へ近接する方向（図１２の矢印Ｍの方向）へ折り曲げる。そして、第４の側面板１７に固定された面ファスナー４３ｂ及び面ファスナー４４ｂと、第２の側面板１１に固定された面ファスナー４３ａ及び４４ａを連結する。
【００９７】
なお、第３の側面板１５及び第４の側面板１７を折り曲げる順番は、いずれが先、又は同時でも構わない。
【００９８】
以上の手順により、包装箱Ｓ１を展示状態から収納状態へ転換させることができる。なお、展示状態から収納状態への転換の手順は上述した例に限定されず、任意に行うことができる。
【００９９】
このように、本実施形態における包装箱Ｓ１は、展示状態から収納状態へ、又は収納状態から展示状態へと繰り返し転換自在となっている。
【０１００】
なお、展示状態から収納状態への転換の手順は上述した例に限定されず、任意に行うことができる。例えば、上述した例では第１の側面板９及び第２の側面板１１を先に折り曲げ、底板１３と背面板３を連結するようにしたが（図面に示される矢印Ｊ、Ｋ、Ｌの手順）、底板１３と背面板３を先に連結し、次に、第１の側面板９及び第２の側面板１１を折り曲げ、第３の側面板１５及び第４の側面板１７と連結するようにしてもよい（図面に示される矢印Ｋ、Ｌ、Ｊの手順）。
【０１０１】
以上説明したように、本実施形態における包装箱Ｓ１は、商品１００が載置される載置面１ａを有する載置板１の対向する一対の辺を第１の折り線２と第２の折り線６として、この第１の折り線２と第２の折り線６を介して折り曲げ自在にそれぞれ連接された背面板３及び前面板７と、他の対向する一対の辺を第３の折り線８と第４の折り線１０として、この第３の折り線８と第４の折り線１０を介して折り曲げ自在にそれぞれ連接された第１の側面板９及び第２の側面板１１と、前面板７、背面板３、第１の側面板９、又は第２の側面板１１のいずれかに、第５の折り線１２を介して折り曲げ自在に連接された底板１３と、前面板７、背面板３、及び底板１３が所定の位置に折り曲げられた状態で、背面板３、前面板７、第１の側面板９、又は第２の側面板１１のうち、底板１３と連接される部材以外の部材と、底板１３とを脱着自在に連結する面ファスナー４１ａ〜４６ａ、４１ｂ〜４６ｂと、を備える包装箱であって、載置面１ａが外部へ露出される方向へ、前面板７、背面板３、及び底板１３を折り曲げ、面ファスナー４１ａ〜４６ａ、４１ｂ〜４６ｂによって連結する展示状態と、載置面１ａが内部へ収納される方向へ、前面板７、背面板３、及び底板１３を折り曲げ、面ファスナー４１ａ〜４６ａ、４１ｂ〜４６ｂによって連結する収納状態と、を転換自在とするように構成したため、一の包装箱において、商品が収納される収納状態と、商品が展示される展示状態を繰り返して使用することができる。
【０１０２】
また、商品１００が載置される載置面１ａと少なくとも４辺を有する載置板１の１つの辺を第１の折り線２とし、この第１の折り線２を介して折り曲げ自在に連接される背面板３と、第１の折り線２と対向する辺を第２の折り線６とし、この第２の折り線６を介して折り曲げ自在に連接される前面板７と、残りの一対の互いに対向する辺をそれぞれ第３の折り線８及び第４の折り線１０とし、この第３の折り線８及び第４の折り線１０を介して折り曲げ自在にそれぞれ連接される第１の側面板９及び第２の側面板１１と、前面板７の第２の折り線６と対向する辺を第５の折り線１２とし、この第５の折り線１２を介して折り曲げ自在に連接される底板１３と、底板１３の残りの辺のうち互いに対向する一対の辺をそれぞれ第６の折り線１４及び第７の折り線１６とし、この第６の折り線１４及び第７の折り線１６を介して折り曲げ自在にそれぞれ連接される第３の側面板１５及び第４の側面板１７と、前面板７、背面板３、及び底板１３が所定の位置に折り曲げられた状態で、背面板３と底板１３、第１の側面板９と第３の側面板１５、及び第２の側面板１１と第４の側面板１７を、それぞれ脱着自在に連結する面ファスナー４１ａ〜４６ａ、４１ｂ〜４６ｂと、を備える包装箱であって、載置面１ａが外部へ露出される方向へ、第１の折り線２、第２の折り線６、及び第５の折り線１２を介して、前面板７、背面板３、及び底板１３を折り曲げ、面ファスナー４１ａ〜４６ａ、４１ｂ〜４６ｂによって連結する展示状態と、載置面１ａが内部へ収納される方向へ、第１の折り線２、第２の折り線６、及び第５の折り線１２を介して、前面板７、背面板３、及び底板１３を折り曲げ、面ファスナー４１ａ〜４６ａ、４１ｂ〜４６ｂによって連結する収納状態と、を転換自在とするように構成したため、一の包装箱において、商品が収納される収納状態と、商品が展示される展示状態を繰り返して使用することができる。
【０１０３】
［４.他の実施例］
なお、以上説明した実施形態は特許請求の範囲にかかる発明を限定するものではない。そして、上記実施形態の中で説明されている構成の組み合わせすべてが発明の課題解決に必須の手段であるとは限らない。
【０１０４】
具体的には、包装箱Ｓ１の材質は、載置される商品の重量及び外形に応じて適宜変更することができる。例えば、大型の商品が載置される場合には、包装箱Ｓ１の材質として、Ａ、Ｂフルート段ボールを適用するようにしてもよく、小型の商品が載置される場合にはＥフルート段ボールを適用するようにしてもよい。さらに、商品の重量及び外形に応じて、紙、上質紙やＰＥＴ材等の薄型樹脂製板材等の折り曲げ自在の板状の部材を適用するようにしてもよい。
【０１０５】
また、図１及び図２に示す例では、審美性向上等の観点から、載置面１ａにアクリル板１ｂ（アクリル樹脂製の透明板材）を固定する構成を適用しているが、これに限定されず、例えば、載置面１ａにいわゆる化粧（化粧加工）を施すようにしてもよい。
【０１０６】
化粧の一例としては、フレキソ印刷、オフセット印刷、又はグラビア印刷等種々の印刷方式を適用することができる。また、このように印刷されたものにコルゲート加工又はラミネート加工等を施し、さらに審美性を向上させるようにしてもよい。
【０１０７】
また、載置面１ａに滑り止め加工を施すようにしてもよい。この滑り止め加工の一例としては、例えば、載置面１ａに滑り止め用インキ（例えば、紫外線硬化型インキを原料とするもの等）を用いて印刷するようにしてもよい。
【０１０８】
また、上述した例では、収納状態において商品１００及び広告パネル７０を収納するようにしたが、これに限定されず、パンフレット、その他販促品等、任意のものを収納するようにしてもよい。
【０１０９】
また、第１の折り線２〜第７の折り線１６は、載置板１、背面板３、前面板７、底板１３、第１の側面板９〜第４の側面板１７を、それぞれ折り曲げ自在に連結したものでよい。例えば、板状の部材からそれぞれ個別に打ち抜かれた載置板１、背面板３、前面板７、底板１３、第１の側面板９〜第４の側面板１７（即ち、載置板１、背面板３、前面板７、底板１３、第１の側面板９〜第４の側面板１７が分離している）を、テープ等で接合して連結するようにしてもよい。
【０１１０】
また、本実施形態では、連結手段の一例として面ファスナーを適用したが、例えば、挿入片と挿入穴から構成される勘合部を適用するようにしてもよい。
【０１１１】
ここで、包装箱Ｓ２の連結手段として勘合部を適用した場合について、図１３を用いて説明する。
【０１１２】
図１３は、包装箱Ｓ２の連結手段として勘合部を適用した場合のブランクを示す図である。
【０１１３】
なお、前述した図３（包装箱Ｓ１のブランク）と同様の機能を果たす部分には、同一の符号を付して、重複する説明を省略する。
【０１１４】
図１３に示すように、包装箱Ｓ２の固定片５には挿入片９１ａ及び挿入片９２ａが、第１の側面板９には挿入片９５ａ及び挿入片９６ａが、第２の側面板１１には挿入片９３ａ及び挿入片９４ａが、それぞれ形成される。
【０１１５】
また、底板１３には挿入穴９１ｂ及び挿入穴９２ｂが、第３の側面板１５には挿入穴９５ｂ及び挿入穴９６ｂが、第４の側面板１７には挿入穴９３ｂ及び挿入穴９４ｂがそれぞれ形成される。
【０１１６】
この挿入片と挿入穴は、勘合部として機能する。
【０１１７】
まず挿入片について、挿入片９１ａを例に説明する。挿入片９１ａは、略円弧状の凸部の両端部に略Ｌ字型の狭窄部９１ａ−１及び９１ａ−２を有し、折り線９１ａ−３を介して背面板３と連接されている。そして、挿入片は、挿入片の実線部分（挿入片９１ａ、狭窄部９１ａ−１及び９１ａ−２）で示す形状が打ち抜かれて形成される。
【０１１８】
なお、図１３に示す挿入片はすべて同一形状を示し、９１〜９６の部材番号にａを付して記すこととする。
【０１１９】
次に、挿入穴について、挿入穴９１ｂを例に説明する。挿入穴９１ｂは、挿入片９１ａが挿入されるスリット状の穴であり、挿入穴９１ｂの実線部分で示す形状が打ち抜かれて形成される。挿入穴９１ｂは、コの字型の開口部側両端部に直線部９１ｂ−１及び９１ｂ−２を接続した形状に形成される。なお、図１３に示す挿入穴はすべて同一形状を示し、９１〜９６の部材番号にｂを付して記すこととする。
【０１２０】
また、包装箱Ｓ２では、挿入片は、予め定められた挿入穴へ挿入されるようになっており、このような関係にある挿入片及び挿入穴には、それぞれ同一の数字を付した部材番号で示すこととする。例えば、図１３に示す例では、挿入片９１ａは、挿入穴９１ｂに挿入されることを意味する。
【０１２１】
この挿入片（例えば、挿入片９１ａ）が挿入穴（例えば、挿入穴９１ｂ）に挿入されると、挿入片９１ａの狭窄部９１ａ−１及び狭窄部９１ａ−２と、直線部９１ｂ−１及び直線部９１ｂ−２が互いに嵌着する。
【０１２２】
このようにして、上述した面ファスナーと同様、背面板３と底板１３等を連結することができる。
【０１２３】
なお、包装箱Ｓ２における展示状態から収納状態（又は、収納状態から展示状態）へ転換する方法は、上述した包装箱Ｓ１における展示状態から収納状態（又は、収納状態から展示状態）へ転換する方法と同様であるため、詳しい説明は省略する。
【０１２４】
さらに連結手段としては、これに限定されず、両面テープ、接着剤、釦等を適用してもよい。
【０１２５】
また、上述した梱包箱Ｓ１では、底板１３は、形状に関して、載置板１と互いに相似で、載置板１より面積が大きいがこれに限定されず、載置板１と底板１３の形状は任意に設定することができる。例えば、載置板１と底板１３を同形状（即ち、合同形状）としてもよい。
【０１２６】
ここで、載置板１と底板１３が同形状の場合の包装箱Ｓ３について、図１４及び図１５を用いて説明する。
【０１２７】
図１４は載置板１と底板１３が同形状の場合の包装箱Ｓ３のブランクを示す図であり、図１５は包装箱Ｓ３の外観を示す斜視図である。
【０１２８】
なお、前述した図３（包装箱Ｓ１のブランク）と同様の機能を果たす部分には、同一の符号を付して、重複する説明を省略する。
【０１２９】
図１４に示すように、載置板１と底板１３は同形状を示している。また、背面板３の左右両端部には折り込み片３ａ及び折り込み片３ｂが、前面板７の左右両端部には折り込み片７ａ及び折り込み片７ｂが、折り線を介してそれぞれ連接されている。
【０１３０】
この折り込み片３ａ及び折り込み片３ｂ（折り込み片７ａ及び折り込み片７ｂ）は、展示状態及び収納状態において、折り線を介して、背面板３（前面板７）に近接する方向へ折り曲げられる。
【０１３１】
その他、包装箱Ｓ３における展示状態から収納状態（又は、収納状態から展示状態）へ転換する方法は、上述した包装箱Ｓ１における展示状態から収納状態（又は、収納状態から展示状態）へ転換する方法と同様であるため、詳しい説明は省略する。
【符号の説明】
【０１３２】
１        載置板
１ａ      載置面
１ｂ      アクリル板
２        第１の折り線
３        背面板
４        折り線
５        固定片
６        第２の折り線
７        前面板
８        第３の折り線
９        第１の側面板
９ａ      折り込み片
９ｂ      折り込み片
１０      第４の折り線
１１      第２の側面板
１１ａ    折り込み片
１１ｂ    折り込み片
１２      第５の折り線
１３      底板
１４      第６の折り線
１５      第３の側面板
１６      第７の折り線
１７      第４の側面板
４１ａ    面ファスナー
４１ｂ    面ファスナー
４１ｃ    面ファスナー
４２ａ    面ファスナー
４２ｂ    面ファスナー
４２ｃ    面ファスナー
４３ａ    面ファスナー
４３ｂ    面ファスナー
４４ａ    面ファスナー
４４ｂ    面ファスナー
４５ａ    面ファスナー
４５ｂ    面ファスナー
４６ａ    面ファスナー
４６ｂ    面ファスナー
７０      広告パネル
１００    商品
Ｓ１      包装箱
Ｓ２      包装箱
Ｓ３      包装箱
【図１】
0005772141.tif 000002
【図２】
0005772141.tif 000003
【図３】
0005772141.tif 000004
【図４】
0005772141.tif 000005
【図５】
0005772141.tif 000006
【図６】
0005772141.tif 000007
【図７】
0005772141.tif 000008
【図８】
0005772141.tif 000009
【図９】
0005772141.tif 000010
【図１０】
0005772141.tif 000011
【図１１】
0005772141.tif 000012
【図１２】
0005772141.tif 000013
【図１３】
0005772141.tif 000014
【図１４】
0005772141.tif 000015
【図１５】
0005772141.tif 000016